(57)【要約】【課題】撮影レンズ鏡筒の駆動に伴って光軸方向へ進退する光学保持機構であって、組み立てに必要な部品点数を抑えることができる光学保持機構を提供する。【解決手段】光学部材を保持する光学保持手段３と、光学保持手段３を保持する移動環保持手段２と、移動環保持手段２と一体的に接続するカバー手段１とを備える光学保持機構を設ける。光学保持手段３は移動環保持手段２により保持され、駆動環５ａによるレンズ鏡筒５の駆動に伴って光軸方向に進退する。カバー手段１はレンズ鏡筒が備える被接続手段にバヨネット接続する接続手段１ａと光学保持手段３の回転方向の脱落を防止する回転抜け止め手段１ｂとを備える。接続手段１ａが被接続手段に接続していないとき、光学保持手段３はレンズ鏡筒に着脱可能位相に保持され、接続手段１ａが被接続手段に接続しているとき、光学保持手段３はレンズ鏡筒の駆動に伴い光軸に沿って進退可能にレンズ鏡筒に保持される。【選択図】図５
2014048614.tif 000002
【特許請求の範囲】
【請求項１】
光学部材を保持する光学保持手段と、
前記光学保持手段を保持する移動環保持手段と、
前記移動環保持手段と一体的に接続するカバー手段とを備え、
前記光学保持手段は、移動筒により保持され、レンズ鏡筒が備える駆動環による前記レンズ鏡筒の駆動に伴って前記光軸方向に進退し、
前記移動環保持手段は、前記光学保持手段の前記光軸方向の脱落を防止する光軸抜け止め手段を備え、
前記カバー手段は、前記レンズ鏡筒が備える被接続手段にバヨネット接続する接続手段を備える
ことを特徴とする光学保持機構。
【請求項２】
前記カバー手段は、さらに、前記光学保持手段の回転方向の脱落を防止する回転抜け止め手段を備える
ことを特徴とする請求項１に記載の光学保持機構。
【請求項３】
前記光学保持手段は、突状の被駆動手段を備え、
前記被駆動手段は、前記光軸抜け止め手段に当接して支持される
ことを特徴とする請求項２に記載の光学保持機構。
【請求項４】
前記回転抜け止め手段は、前記被駆動手段が前記光軸抜け止め手段の当接可能位相から脱落するのを防止する
ことを特徴とする請求項３に記載の光学保持構造。
【請求項５】
前記駆動環には、前記光軸方向に対してテーパー形状を有し、前記被駆動手段が当接する当接手段が設けられている
ことを特徴とする請求項３または請求項４に記載の光学保持機構。
【請求項６】
前記接続手段が前記被接続手段に接続していない状態のときは、前記光学保持手段は、前記レンズ鏡筒に着脱可能位相に保持され、前記接続手段が前記被接続手段に接続している状態のときは、前記被駆動手段が前記被接続手段が有する直進規制手段に係合して直進保持されることにより、前記光学保持手段は、前記駆動環の駆動に伴って前記光軸に沿って進退可能に前記レンズ鏡筒に保持される
ことを特徴とする請求項３乃至５のいずれか１項に記載の光学保持機構。
【請求項７】
前記移動環保持手段と前記光学保持手段との間に、前記移動環保持手段と前記光学保持手段とに互いに引き合う力を生じさせる付勢手段が設けられている
ことを特徴とする請求項１乃至６のいずれか１項に記載の光学保持機構。
【請求項８】
前記付勢手段は、バネ部材であり、
前記付勢手段が前記移動環保持手段と前記光学保持手段との間に傾斜状に設けられることで、前記移動環保持手段と前記光学保持手段とが互いに相対回転可能である
ことを特徴とする請求項７に記載の光学保持機構。
【請求項９】
前記光学部材は、レンズフィルタであり、
前記光学保持機構は、フィルタアダプタである
ことを特徴とする請求項１乃至８のいずれか１項に記載の光学保持機構。
【請求項１０】
請求項１乃至８のいずれか１項に記載の光学保持機構を着脱可能な撮像装置。
【発明の詳細な説明】
【技術分野】
【０００１】
本発明は、光学保持機構および撮像装置に関する。
【背景技術】
【０００２】
画像をメモリに取り込むことができるデジタルカメラが提案されている。このデジタルカメラでは、ＣＣＤやＣＭＯＳ等の撮像素子を利用して画像を取得している。ＣＣＤは、Ｃｈａｒｇｅ  Ｃｏｕｐｌｅｄ  Ｄｅｖｉｃｅの略称である。また、ＣＭＯＳは、Ｃｏｍｐｌｅｍｅｎｔａｌｙ  Ｍｅｔａｌ  Ｏｘｉｃｅ  Ｓｅｍｉｃｏｎｄｕｃｔｏｒの略称である。
【０００３】
デジタルカメラは、複数の撮影レンズ群の間隔を変化させることで、撮影画角の変化、いわゆるズーム動作を行う。近年、ズームの高倍率化とともにカメラの薄型化の要望が強くなっており、できるだけ撮影レンズ群の移動ストロークを大きくし、かつ小型化するような構成が求められている。このような構成を持つ撮影レンズ鏡筒に対して様々なフィルタやマクロレンズ等の付属品を取り付けて、ユーザが変化に富んだ撮影をできるようにする光学保持機構（例えばフィルタアダプタ）が提案されている。
【０００４】
撮影レンズ鏡筒は、ズーム倍率の変化により本体からの突出量が変化するので、ある程度大きな光学保持機構が必要になり、ユーザにとって利用しづらいものになることが多い。特許文献１は、カメラ本体のマウントに、フィルタを取り付けるための防水アダプタが着脱自在に装着される防水カメラを開示している。この防水カメラでは、撮影レンズ鏡筒に干渉しない位置にフィルタが配置されるようにしている。また、特許文献２は、カメラ本体に取り付けたフィルタアダプタであって、その一部を撮影レンズ鏡筒前面に付き当て、フィルタごと撮影レンズ鏡筒と一緒に移動させるフィルタアダプタを開示している。
【先行技術文献】
【特許文献】
【０００５】
【特許文献１】特開２０１０−７２２２５号公報
【特許文献２】特開２０１２−３７７１８号公報
【発明の概要】
【発明が解決しようとする課題】
【０００６】
しかし、特許文献１が開示する防水カメラでは、撮影レンズ鏡筒がワイド位置の状態においていわゆるケラレが出ないように、防水アダプタを大きくする必要があるので、カメラ全体が大型化する。したがって、ユーザが使用しづらいという課題がある。また、特許文献２が開示するフィルタアダプタでは、ズーム動作中に撮影レンズ鏡筒に外力が作用し、フィルタアダプタを取り付けたときと取り付けていない時とで、撮影レンズ鏡筒に対する負荷力が変化し、撮影性能に影響を与えるという課題がある。
【０００７】
また、特許文献２が開示するフィルタアダプタの組み立て時には、筒部材を組み立てた後、外側からビスをねじ込む。したがって、このフィルタアダプタでは、組み立てに必要な部品点数が多くなってしまう。
【０００８】
本発明は、撮影レンズ鏡筒の駆動に伴って光軸方向へ進退する光学保持機構であって、組み立てに必要な部品点数を抑えることができる光学保持機構の提供を目的とする。
【課題を解決するための手段】
【０００９】
本発明の一実施形態の光学保持機構は、光学部材を保持する光学保持手段と、前記光学保持手段を保持する移動環保持手段と、前記移動環保持手段と一体的に接続するカバー手段とを備える。前記光学保持手段は、移動筒により保持され、レンズ鏡筒が備える駆動環による前記レンズ鏡筒の駆動に伴って前記光軸方向に進退する。前記移動環保持手段は、前記光学保持手段の前記光軸方向の脱落を防止する光軸抜け止め手段を備える。前記カバー手段は、前記レンズ鏡筒が備える被接続手段にバヨネット接続する接続手段を備える。
【発明の効果】
【００１０】
本発明によれば、撮影レンズ鏡筒の駆動に伴って光軸方向へ進退する光学保持機構であって、組み立てに必要な部品点数を抑えることができる光学保持機構を提供できる。
【図面の簡単な説明】
【００１１】
【図１】本実施形態の光学保持機構を着脱可能な撮像装置の正面斜視図である。
【図２】デジタルカメラの背面図の一例である。
【図３】デジタルカメラの機能ブロック図である。
【図４】光学保持機構が装着された状態のデジタルカメラの構成図である。
【図５】光学保持機構の分解斜視図の例である。
【図６】光学保持機構が装着された状態のデジタルカメラの外観斜視図である。
【図７】フィルタアダプタとバヨネット手段を接続させた状態の断面図である。
【図８】図７に示す状態からカバー手段を時計方向に回転させた時の状態を示す図である。
【発明を実施するための形態】
【００１２】
図１は、本実施形態の光学保持機構を着脱可能な撮像装置の正面斜視図の一例である。図２は、図１に示すデジタルカメラの背面図の一例である。また、図３は、図１に示すデジタルカメラの機能ブロック図の一例である。
【００１３】
デジタルカメラ１３は、本実施形態の光学保持機構を着脱可能な撮像装置である。デジタルカメラ１３は、撮影倍率を変更できるズーム機構を有する。図１に示すように、デジタルカメラ１３の正面には、被写体の構図を決めるファインダ１１、測光測距を行う場合の光源の補助を行う補助光１０、ストロボ１２、撮影レンズ鏡筒５が配置されている。以下では、撮影レンズ鏡筒５を単にレンズ鏡筒５と記述する。また、デジタルカメラ１３の上面には、レリーズボタン７、ズーム切換えスイッチ８、電源切換えボタン９が配置されている。
【００１４】
また、図２に示すように、デジタルカメラ１３の背面には、操作ボタン１６，１７，１８，１９，２０，２１が配置され、様々な機能切換えを行うことができる。また、デジタルカメラ１３には、ＬＣＤを有するディスプレイ１５、ファインダ接眼部１４が配置されている。ＬＣＤは、Ｌｉｑｕｉｄ  Ｃｒｙｓｔａｌ  Ｄｉｓｐｌａｙの略称である。
【００１５】
図３に示すディスプレイ１５は、画像表示手段であり、メモリ３３に保存された画像データやメモリーカードから読み込んだ画像データを画面上に表示する。
【００１６】
ＣＰＵ３９、ＲＯＭ３８、ＲＡＭ４０が、デジタルカメラ１３全体を制御する制御部（図示を省略）として機能する。ＣＰＵは、Ｃｅｎｔｒａｌ  Ｐｒｏｃｅｓｓｉｎｇ  Ｕｎｉｔの略称である。ＲＯＭは、Ｒｅａｄ  Ｏｎｌｙ  Ｍｅｍｏｒｙの略称である。ＲＡＭは、Ｒａｎｄｏｍ  Ａｃｃｅｓｓ  Ｍｅｍｏｒｙの略称である。
【００１７】
制御部は、バス３７を介して、レリーズボタン７、操作ボタン１６乃至２１、ディスプレイ１５、メモリ３３、メモリーカードドライブ３５等の各種構成要素と接続されている。
【００１８】
駆動回路３６には、ズーム機構２２、フォーカス駆動機構２３、シャッタ駆動機構２６、絞り駆動機構２８、ＣＣＤやＣＭＯＳ等の撮像素子３０、ストロボ１２が接続されており、制御系からの信号により各々の駆動を制御する。ＣＣＤは、Ｃｈａｒｇｅ  Ｃｏｕｐｌｅｄ  Ｄｅｖｉｃｅの略称である。ＣＭＯＳは、Ｃｏｍｐｌｅｍｅｎｔａｒｙ  Ｍｅｔａｌ  Ｏｘｉｄｅ  Ｓｅｍｉｃｏｎｄｕｃｔｏｒの略称である。
【００１９】
ＲＯＭ３８には、上述の各機能構成要素を制御するプログラムが記憶されている。ＲＡＭ４０には、各制御プログラムに必要なデータが記憶されている。アナログ信号処理部２９は、取り込まれた画像データにアナログ処理を施し、Ａ（Analog）／Ｄ（Degital ）変換部３１に出力する。Ａ／Ｄ変換部３１は、取り込まれたアナログデータをデジタルデータに変換してデジタル信号処理部３２に出力する。デジタル信号処理部３２は、Ａ／Ｄ変換部３１が出力したデジタルデータの処理を行い、画像データ等としてメモリ３３に記憶する。
【００２０】
圧縮伸張部３４は、メモリ３３に記憶された画像データやメモリーカードドライブ３５に記憶されている画像データを伸張処理する。ＣＰＵ３９は、伸張処理された画像データに応じた画像を、バス３７を介してディスプレイ１５に表示させる。このディスプレイ１５上の画像をユーザが見ることで、その画像が不必要であると判断すると、ユーザは、操作ボタン２１の操作によって画像を消去することができる。
【００２１】
図４は、光学保持機構が装着された状態のデジタルカメラの構成を説明する図である。また、図５は、光学保持機構の分解斜視図の例である。図４に示すように、デジタルカメラ１３には、光学保持構造Ａが着脱可能である。光学保持構造Ａは、例えば、フィルタアダプタ等の、カメラへの外部アクセサリーである。以下の説明では、光学保持構造Ａを、フィルタアダプタと記述する。ユーザは、レンズフィルタ（例えば偏光フィルタ）やプロテクタ等の光学部材をフィルタアダプタに取り付けて、様々な撮影をすることができる。
【００２２】
コンパクトカメラでは、ズーム倍率の変化によって、レンズ鏡筒５の前面が光軸方向に移動する。フィルタアダプタをレンズ鏡筒５に干渉しない位置に固定すると、望遠側は良いが、広角側の画角をケラレないようにするには直径を大きくする必要がある。直径や長さが大きくなってしまうと、カメラとしての使用感が減少し、ユーザにとっての魅力が無くなってしまう。そこで、本実施形態のフィルタアダプタは、フィルタアダプタを構成する部材のうち、光学部材を保持している部材が、レンズ鏡筒５の駆動に伴って光軸方向に移動する構成をとる。
【００２３】
本実施形態では、フィルタアダプタは、移動環保持手段２、光学保持手段３、カバー手段１を備える。移動環保持手段２は、デジタルカメラ１３のレンズ鏡筒５の駆動に伴って光軸に沿って移動する移動筒である。光学保持手段３は、偏光フィルタやプロテクトフィルタ等の光学部材を保持する。光学保持手段３の被写体側前面には、光学部材を取り付けられるようにネジが設けられている。光学保持手段３は、移動環保持手段２の外周に保持され、移動環保持手段２の外周に嵌合して組み込まれる。互いの組み込み時に、光学保持手段３の組み込み側の付き当ては、移動環保持手段２に具備される光軸付き当て手段２ｂによって行われる。
【００２４】
光学保持手段３の背後の３か所には、突状の被駆動手段３ａが設けられている。光学保持手段３を移動環保持手段２に対して回転させることで、被駆動手段３ａの根元部が光軸抜け止め手段２ａに当接可能に支持される。この状態の時の被駆動手段３ａの光軸抜け止め手段２ａに対する位相を当接可能位相と記述する。
【００２５】
光学保持手段３と移動環保持手段２との間には、付勢手段（この例ではバネ部材からなるバネ手段）４が、３か所設けられている。付勢手段４は、光学保持手段３と移動環保持手段２とに、互いに引き合う力を生じさせる。この構成により、光学保持手段３は背面方向に荷重がかけられることになる。
【００２６】
カバー手段１は、移動環保持手段２の背後から組み込まれ、移動環保持手段２に対してビスで固定される。その時、カバー手段１に具備される回転抜け止め手段１ｂにより、被駆動手段３ａが、光軸抜け止め手段２ａの当接可能位相から脱落するのが防止される。これにより、光学保持手段３は、光軸方向に対しても、回転方向に対しても脱落しないように保持される。
【００２７】
レンズ鏡筒５には、レンズ鏡筒内部の光学手段（例えば、フォーカスレンズ等）を光軸方向に移動させる駆動環５ａが設けられている。駆動環５ａの前方には、光軸方向に対してテーパー形状を具備したフェイスカムが設けられている。駆動環５ａの回転によりレンズ鏡筒５が撮影状態での広角状態、望遠状態及び収納状態へ遷移する。また、フェイスカムも回転して位置を変える。
【００２８】
光学保持構造Ａであるフィルタアダプタをカメラに取り付けると、被駆動手段３ａがレンズ鏡筒５内部に差し込まれ、被駆動手段３ａがフェイスカムに当接可能に保持されることになる。
【００２９】
バネ手段４は、光学保持手段３と移動環保持手段２の間で、傾斜状、いわゆるたすき掛け状に組みつけられている。そのため、光学保持手段３と移動環保持手段２とは、互いに相対回転可能である。
【００３０】
カバー手段１は、移動環保持手段２とビスで固定、すなわち一体的に接続されている。そのため、光学保持手段３はカバー手段１に対しても相対回転できるようになっている。また、カバー手段１の背後には、バヨネット接続手段１ａ（図５）が設けられている。
【００３１】
図６は、光学保持機構が装着された状態のデジタルカメラの外観斜視図の一例である。レンズ鏡筒前面に、フィルタアダプタをレンズ鏡筒５に接続するバヨネット手段６が設けられている。バヨネット手段は、バヨネット被接続手段６ａと直進規制手段６ｂとを備える。図７は、フィルタアダプタとバヨネット手段を接続させた状態の断面図である。
【００３２】
バネ手段４による付勢力によって、光学保持手段３が、カバー手段１に対して正面から見て時計方向に回転保持されている。この状態でフィルタアダプタが組み込み可能な状況になる。すなわち、カバー手段１の背後にあるバヨネット接続手段１ａの位相と、バヨネット手段６に設けられているバヨネット被接続手段６ａの位相が同一になる。また、被駆動手段３ａの位相とバヨネット手段６に設けられている直進規制手段６ｂの位相が全て合致する。すなわち、バヨネット接続手段１ａがバヨネット被接続手段６ａに接続していない状態のときは、光学保持手段３は、レンズ鏡筒５に着脱可能位相（組立位相）に保持される。
【００３３】
図８は、図７に示す状態からカバー手段を時計方向に回転させた時の状態を示す。図７に示す状態からカバー手段１を時計方向に回転させると、同時に移動環保持手段２も一体で時計方向に回転する。光学保持手段３に設けられている被駆動手段３ａが直進規制手段６ｂに係合しているので、上記回転によっても光学保持手段３は初期位置から移動しない。この状態で、被駆動手段３ａが駆動環５ａへ接続可能に保持される。この時のフィルタアダプタのレンズ鏡筒５に対する位相を、以下では使用時位相と記述する。駆動環５ａによってレンズ鏡筒５が光軸方向に進退すると、光学保持手段３が光軸方向に進退する。すなわち、バヨネット接続手段１ａがバヨネット被接続手段６ａに接続している状態では、被駆動手段３ａが直進規制手段に直進保持されていることで、光学保持手段３は、駆動環５ａの駆動に伴って光軸に沿って進退可能にレンズ鏡筒５に保持される。
【００３４】
また、逆に、フィルタアダプタをカメラから取り外すときは、上記工程と反対になり、カバー手段１を反時計方向に回転することで、光学保持手段３とカバー手段１の回転方向の相対位置が変化する。これにより、フィルタアダプタは、図７に示すような組立位相に保持される。その後バヨネット手段６からフィルタアダプタを取り外すことができる。
【００３５】
本実施形態のフィルタアダプタは、レンズ鏡筒５への組み込み時には、レンズ鏡筒５に対して組立位相に保持される。この状態からユーザがカバー手段１を回転させることで、フィルタアダプタが使用時位相に保持され、レンズ鏡筒５の駆動時にも使用時位相が保たれる。そして、ユーザがカバー手段１を逆回転させることで、フィルタアダプタは組立位相に保持され、レンズ鏡筒５から取り外すことが可能となる。したがって、フィルタアダプタをレンズ鏡筒に効率的に着脱することができる。
【００３６】
また、本実施形態のフィルタアダプタは、カバー手段１を、光学保持手段３を保持する移動環保持手段２の背後から組み込んだ後、外側からビスをねじ込む必要がない。光学保持手段３の光軸方向の脱落防止は、光軸抜け止め手段２ａによって図られる。また、光学保持手段３の回転方向の脱落防止は、回転抜け止め手段１ｂによって図られる。すなわち、本実施形態のフィルタアダプタによれば、組み立てに必要な部品点数を抑えることができる。
【符号の説明】
【００３７】
１    カバー手段
１ａ  バヨネット接続手段
１ｂ  回転抜け止め手段
２    移動環保持手段
２ａ  光軸抜け止め手段
２ｂ  光軸付き当て手段
３    光学保持手段
３ａ  被駆動手段
４    バネ手段
５    レンズ鏡筒
【図１】
2014048614.tif 000003
【図２】
2014048614.tif 000004
【図３】
2014048614.tif 000005
【図４】
2014048614.tif 000006
【図５】
2014048614.tif 000007
【図６】
2014048614.tif 000008
【図７】
2014048614.tif 000009
【図８】
2014048614.tif 000010